(57)【特許請求の範囲】
【請求項１】
第１の端子および第２の端子とファクシミリ通信部との接続または切断を切り替える第１の接続切替手段と、前記第１の端子と前記第２の端子との接続または切断を切り替える第２の接続切替手段とを備え、前記第１の接続切替手段および前記第２の接続切替手段のそれぞれの切り替え制御を行う接続切替部と、
前記第１の接続切替手段と、前記ファクシミリ通信部との間の電話回線電圧を検出する電圧検出部と、
前記第１の接続切替手段を接続した状態で、前記電圧検出部が電話回線電圧を検出できなかった場合、電話回線が正しく接続されていない旨を表示部に表示する制御部とを有し、
前記制御部は、
前記接続切替部により、前記第１の接続切替手段および前記第２の接続切替手段を接続した状態で、前記電圧検出部が電話回線電圧を検出できなかった場合、
前記第１の端子および前記第２の端子のいずれにも電話回線が接続されていない旨を表示部に表示することを特徴とするファクシミリ装置。
【請求項２】
第１の端子および第２の端子とファクシミリ通信部との接続または切断を切り替える第１の接続切替手段と、前記第１の端子と前記第２の端子との接続または切断を切り替える第２の接続切替手段とを備え、前記第１の接続切替手段および前記第２の接続切替手段のそれぞれの切り替え制御を行う接続切替部と、
前記第１の接続切替手段と、前記ファクシミリ通信部との間の電話回線電圧を検出する電圧検出部と、
前記第１の接続切替手段を接続した状態で、前記電圧検出部が電話回線電圧を検出できなかった場合、電話回線が正しく接続されていない旨を表示部に表示する制御部とを有し、
前記制御部は、
前記接続切替部により、前記第１の接続切替手段および前記第２の接続切替手段を接続した状態で、前記電圧検出部が電話回線電圧を検出し、さらに、前記第１の接続切替手段を接続し、かつ前記第２の接続切替手段を切断した状態で、前記電圧検出部が電話回線電圧を検出できなかった場合、
前記第２の端子に電話回線が接続され、前記第１の端子に電話回線が接続されていない旨を表示部に表示することを特徴とするファクシミリ装置。
【請求項３】
請求項１または請求項２に記載のファクシミリ装置において、
前記制御部は、ファクシミリ通信を開始するとき、前記電圧検出部で前記電話回線電圧の検出を行うことを特徴とするファクシミリ装置。
【請求項４】
第１の端子および第２の端子とファクシミリ通信部との接続または切断を切り替える第１の接続切替手段と、前記第１の端子と前記第２の端子との接続または切断を切り替える第２の接続切替手段とを備え、前記第１の接続切替手段および前記第２の接続切替手段のそれぞれの切り替え制御を行う接続切替部と、
前記第１の接続切替手段と、前記ファクシミリ通信部との間の電話回線電圧を検出する電圧検出部と、
前記第１の接続切替手段を接続した状態で、前記電圧検出部が電話回線電圧を検出できなかった場合、電話回線が正しく接続されていない旨を表示部に表示する制御部とを有し、
前記制御部は、ファクシミリ通信を開始するとき、前記電圧検出部で前記電話回線電圧の検出を行うことを特徴とするファクシミリ装置。
【請求項５】
請求項１から請求項４のいずれかに記載のファクシミリ装置を備えたことを特徴とする複合機。
【発明の詳細な説明】
【技術分野】
【０００１】
本発明は、電話回線に接続されるファクシミリ装置および複合機に関する。
【背景技術】
【０００２】
従来のファクシミリ装置は、電話回線に接続される電話機として子機を有する場合、ＮＣＵ（Ｎｅｔｗｏｒｋ  Ｃｏｎｔｒｏｌ  Ｕｎｉｔ）の回線電流検知機能またはＤＡＡ（Ｄａｔａ  Ａｃｃｅｓｓ  Ａｒｒａｎｇｅｍｅｎｔ）の回線電圧モニタ機能を利用して子機に対するオフフック操作を検知するようにしており、特に電話回線の回線電圧をモニタする回線電圧モニタ機能では回線電圧をオフフック閾値と比較することにより、子機のオフフック操作を検知するようにしている（例えば、特許文献１参照）。
【先行技術文献】
【特許文献】
【０００３】
【特許文献１】特開２００７−０４３５４９号公報
【発明の概要】
【発明が解決しようとする課題】
【０００４】
しかしながら、従来の技術において、電話回線に接続され、電話機として子機が接続可能なファクシミリ装置は、電話回線を接続する専用の端子と、電話機（子機）を接続する専用の端子とを備えており、両端子に電話回線が接続されていない場合や両端子は同一の形状であるため電話回線と電話機の接続を誤った場合等の電話回線の接続を誤ると通信異常が発生してしまうという問題がある。
本発明は、このような問題を解決することを課題とし、電話回線の接続の誤りによる通信異常の発生を抑制することを目的とする。
【課題を解決するための手段】
【０００５】
そのため、本発明は、第１の端子および第２の端子とファクシミリ通信部との接続または切断を切り替える第１の接続切替手段と、前記第１の端子と前記第２の端子との接続または切断を切り替える第２の接続切替手段とを備え、前記第１の接続切替手段および前記第２の接続切替手段のそれぞれの切り替え制御を行う接続切替部と、前記第１の接続切替手段と、前記ファクシミリ通信部との間の電話回線電圧を検出する電圧検出部と、前記第１の接続切替手段を接続した状態で、前記電圧検出部が電話回線電圧を検出できなかった場合、電話回線が正しく接続されていない旨を表示部に表示する制御部とを有し、前記制御部は、前記接続切替部により、前記第１の接続切替手段および前記第２の接続切替手段を接続した状態で、前記電圧検出部が電話回線電圧を検出できなかった場合、前記第１の端子および前記第２の端子のいずれにも電話回線が接続されていない旨を表示部に表示することを特徴とする。
【発明の効果】
【０００６】
このようにした本発明は、電話回線の接続の誤りによる通信異常の発生を抑制することができるという効果が得られる。
【図面の簡単な説明】
【０００７】
【図１】実施例におけるファクシミリ装置の構成を示すブロック図
【図２】実施例における接続確認処理の流れを示すフローチャート
【図３】実施例におけるリレーの接続状態を示す説明図
【図４】実施例における電話回線と電話機の接続状態の説明図
【図５】実施例における表示画面の説明図
【発明を実施するための形態】
【０００８】
以下、図面を参照して本発明によるファクシミリ装置および複合機の実施例を説明する。
【実施例１】
【０００９】
図１は実施例におけるファクシミリ装置の構成を示すブロック図である。
図１において、ファクシミリ装置１は、電話回線に接続され、電話機としての子機を接続できるものであり、制御部２と、ＮＣＵ３と、モデム４と、パネル部５と、スキャナ部６と、プリンタ部７とを有している。
制御部２は、ＣＰＵ（Ｃｅｎｔｒａｌ  Ｐｒｏｃｅｓｓｉｎｇ  Ｕｎｉｔ）等の制御手段からなる制御装置であり、記憶手段に格納された制御プログラム（ソフトウェア）に基づいてシステムバスを介して接続されるＮＣＵ３、モデム４、パネル部５、スキャナ部６、およびプリンタ部７を制御し、ファクシミリ装置１全体の動作を制御するものである。
【００１０】
接続切替部としてのＮＣＵ３は、ネットワークコントロールユニットであり、ＬＩＮＥ端子８と、ＴＥＬ端子９と、オフフック検出部１０と、リレー１１と、リレー１２と、電圧検出部１３とを備え、電話回線２１および電話機２２との接続を制御するものである。
第１の端子としてのＬＩＮＥ端子８は、ＲＪ−１１コネクタであり、交換機に接続される電話回線２１を接続するものである。
第２の端子としてのＴＥＬ端子９は、ＲＪ−１１コネクタであり、電話機２２を接続するものである。
【００１１】
オフフック検出部１０は、コンパレータ等で構成された電圧検出器であり、ＬＩＮＥ端子８とＴＥＬ端子９との間に接続され、電話回線電圧を監視し、電話機２２のオフフックを検出するものである。このオフフック検出部１０は、電話回線の電圧とオフフック閾値とを比較し、電話機２２のオフフックを検出する。
第１の接続切替手段としてのリレー１１は、ＬＩＮＥ端子８（およびＴＥＬ端子９）とモデム４との間に配置されたリレー回路であり、ＬＩＮＥ端子８およびＴＥＬ端子９とモデム４との接続または切断を切り替えるもの、すなわち電話回線２１とモデム４とを接続または切断するものである。
【００１２】
第２の接続切替手段としてのリレー１２は、ＬＩＮＥ端子８とＴＥＬ端子９との間に配置されたリレー回路であり、ＬＩＮＥ端子８とＴＥＬ端子９との接続または切断を切り替えるもの、すなわち電話回線２１と電話機２２とを接続または切断するものである。
電圧検出部１３は、コンパレータ等で構成された電圧検出器であり、リレー１１とモデム４との間に接続され、リレー１１とモデム４との間の電話回線電圧の有無を監視し、検出するものである。この電圧検出部１３は、電話回線の電圧が閾値を超えているとき、電話回線電圧有りを検出する。
【００１３】
このように、ＮＣＵ３は、リレー１１およびリレー１２を備え、リレー１１およびリレー１２のそれぞれの接続または切断の切り替えを独立して制御することができるように構成されている。
なお、本実施例では、電圧検出部１３をＮＣＵ３に備えた構成として説明するが、電圧検出部１３をモデム４に備える構成としても良い。
ファクシミリ通信部としてのモデム４は、変調復調装置であり、デジタル信号を伝送路の特性に合わせたアナログ信号に変換して送信するとともに、伝送路からのアナログ信号をデジタル信号に復調して受信するものである。ファクシミリ装置間で交換される画データや手順信号は、このモデム４を介して授受される。
【００１４】
表示部としてのパネル部５は、液晶表示装置（ＬＣＤ）等の表示手段によりファクシミリ装置１の状態等を表示し、ファクシミリ装置１を操作するために必要なテンキー、スタートキー等の入力手段を備えたものである。
スキャナ部６は、ＣＣＤ（Ｃｈａｒｇｅ  Ｃｏｕｐｌｅｄ  Ｄｅｖｉｃｅ）センサなどを利用した画像読取り手段としてのスキャナ装置であり、原稿を読取り、ドットイメージデータに変換した画データを生成するものである。
プリンタ部７は、感熱記録方式、電子写真方式等の印刷装置であり、受信した画データ等を画像として出力するものである。
【００１５】
このように構成されたファクシミリ装置１の制御部２は、リレー１１を接続した状態（リレー１２は接続または切断した状態）で、電圧検出部１３が電話回線電圧を検出できなかった場合、電話回線が正しく接続されていない旨をパネル部５に表示する。
なお、本実施例では、ファクシミリ装置１の例として説明するが、制御部２と、ＮＣＵ３と、モデム４と、パネル部５と、スキャナ部６と、プリンタ部７とを有するファクシミリ機能（装置）を備えた複合機としても良い。この場合、複合機はＬＡＮ（Ｌｏｃａｌ  Ａｒｅａ  Ｎｅｔｗｏｒｋ）等の通信回線に接続され、外部の装置からの指示によりプリンタ部７で印刷が行えるように構成されている。
【００１６】
上述した構成の作用について説明する。
ファクシミリ装置が行う接続確認処理を図２の実施例における接続確認処理の流れを示すフローチャートの図中Ｓで表すステップに従って図１を参照しながら説明する。
Ｓ１：ファクシミリ装置１の制御部２は、図３（ａ）に示すように、ＮＣＵ３のリレー１１を制御して開放し、ＬＩＮＥ端子８とモデム４との接続を開放する。
【００１７】
Ｓ２：リレー１１を開放した制御部２は、図３（ａ）に示すように、ＮＣＵ３のリレー１２を制御して閉結し、ＬＩＮＥ端子８とＴＥＬ端子９とを接続する。
このように、Ｓ１およびＳ２において、制御部２は、初期動作として、図３（ａ）に示すように、リレー１１を開放し、リレー１２を閉結することにより、電話回線２１に接続された交換機とファクシミリ装置１との間は、電話回線２１を介して直流ループが形成されていない状態となり、交換機はファクシミリ装置１が電話回線を開放しているものと認識する。
【００１８】
Ｓ３：パネル部５は、操作者の操作により、ファクシミリの送信先の入力等ファクシミリ送信に必要な入力操作を受付け、さらにファクシミリ送信（通信）を開始する入力操作を受付ける。制御部２は、パネル部５でファクシミリ送信を開始する指示の入力操作が行われたか否かを判定し、ファクシミリ送信を開始する指示の入力操作が行われたと判定すると処理をＳ４へ移行し、ファクシミリ送信を開始する指示の入力操作が行われていないと判定するとファクシミリ送信を開始する指示の入力操作が行われるまで待機する。
【００１９】
Ｓ４：ファクシミリ送信を開始する指示の入力操作が行われたと判定した制御部２は、図３（ｂ）に示すように、ＮＣＵ３のリレー１１を制御して閉結し、ＬＩＮＥ端子８とモデム４とを接続する。
このように、リレー１１を閉結することにより、電話回線２１に接続された交換機とファクシミリ装置１との間は、電話回線２１を介して直流ループが形成された状態となり、交換機はファクシミリ装置１が電話回線を捕捉しているものと認識する。
【００２０】
Ｓ５：リレー１１を閉結した制御部２は、電圧検出部１３で電話回線電圧を検出したか否かを判定し、検出したと判定すると交換機とファクシミリ装置１との間で形成された直流ループを検出したことになり処理をＳ７へ移行し、検出しないと判定すると処理をＳ６へ移行する。
この電圧検出部１３での電圧を検出は、電話回線２１がＬＩＮＥ端子８もしくはＴＥＬ端子９に接続されているか、または電話回線２１がＬＩＮＥ端子８およびＴＥＬ端子９のいずれにも接続されていないかを検出するものであり、電話回線２１がＬＩＮＥ端子８またはＴＥＬ端子９に接続されている場合、Ｓ４においてリレー１１の閉結を行うことにより、電圧検出部１３で電話回線電圧を検出することができる。一方、電話回線２１がＬＩＮＥ端子８およびＴＥＬ端子９のいずれにも接続されていない場合、Ｓ４においてリレー１１の閉結を行ったとしても、電圧検出部１３で電話回線電圧を検出することができない。
【００２１】
Ｓ６：電圧検出部１３で電話回線電圧を検出しないと判定した制御部２は、パネル部５により電話回線２１が接続されていない旨の未接続エラー（異常）の画面、例えば図５（ａ）に示すように、「電話回線が接続されていません。電話回線をＬＩＮＥ端子に接続してください。」等の未接続エラー画面５１を表示し、処理をＳ１２へ移行する。
【００２２】
なお、Ｓ５において、電圧検出部１３が電圧を検出できないときの接続状態は、図４に示すように、ＬＩＮＥ端子８に電話機２２が接続され、ＴＥＬ端子９に何も接続されていない場合と、ＴＥＬ端子９に電話機２２が接続され、ＬＩＮＥ端子８に何も接続されていない場合と、ＬＩＮＥ端子８およびＴＥＬ端子９の双方に何も接続されていない場合とがあり、いずれの場合も接続なし（未接続エラー）と判定される。
このように、制御部２は、ＮＣＵ３により、リレー１１およびリレー１２を接続した状態で、電圧検出部１３が電話回線電圧を検出できなかった場合、ＬＩＮＥ端子８およびＴＥＬ端子９のいずれにも電話回線２１が接続されていない旨をパネル部５に表示する。
【００２３】
Ｓ７：Ｓ５において、電圧検出部１３で電話回線電圧を検出したと判定した制御部２は、図３（ｃ）に示すように、ＮＣＵ３のリレー１２を制御して開放し、ＬＩＮＥ端子８とＴＥＬ端子９との接続を開放する。このように、ＬＩＮＥ端子８とＴＥＬ端子９との接続を開放することにより、ファクシミリ装置１と電話機２２とが接続されていない状態となる。
【００２４】
Ｓ８：リレー１２を開放した制御部２は、電圧検出部１３で電話回線電圧を検出したか否かを判定し、検出したと判定すると交換機とファクシミリ装置１との間で形成された直流ループを検出したことになり処理をＳ１０へ移行し、検出しないと判定すると処理をＳ９へ移行する。
この電圧検出部１３での電圧を検出は、電話回線２１とＬＩＮＥ端子８との接続不良を検出するものであり、電話回線２１がＬＩＮＥ端子８に接続されている場合、Ｓ７においてリレー１２の開放を行ったとしても、電圧検出部１３で電話回線電圧を検出することができる。一方、電話回線２１がＴＥＬ端子９に接続されていた場合、Ｓ７においてリレー１２の開放を行うことにより、電圧検出部１３で電話回線電圧を検出することができない。
【００２５】
Ｓ９：電圧検出部１３で電話回線電圧を検出しないと判定した制御部２は、パネル部５によりＴＥＬ端子９に電話回線２１が接続され、ＬＩＮＥ端子８に電話回線２１が正しく接続されていない旨の逆接続エラー（異常）の画面、例えば図５（ｂ）に示すように、「ＴＥＬ端子に電話回線が接続されています。接続し直してください。」等の逆接続エラー画面５２を表示し、処理をＳ１２へ移行する。
【００２６】
なお、Ｓ８において、電圧検出部１３が電圧を検出できないときの接続状態は、図４に示すように、ＴＥＬ端子９に電話回線２１が接続され、ＬＩＮＥ端子８に電話機２２が接続されている場合と、ＴＥＬ端子９に電話回線２１が接続され、ＬＩＮＥ端子８に何も接続されていない場合とがあり、どちらの場合も逆接続と判定される。
このように、制御部２は、ＮＣＵ３により、リレー１１を接続し、リレー１２を切断した状態で、電圧検出部１３が電話回線電圧を検出できなかった場合、ＴＥＬ端子９に電話回線２１が接続され、ＬＩＮＥ端子８に電話回線２１が接続されていない旨をパネル部５に表示する。
【００２７】
Ｓ１０：Ｓ８において、電圧検出部１３で電話回線電圧を検出したと判定した制御部２は、ＬＩＮＥ端子８に電話回線２１が正常に接続されていることを確認したため、スキャナ部６により原稿を読取り、モデム４によりアナログ信号に変調し、パネル部５により入力操作を受付けた送信先へファクシミリ送信する。
なお、Ｓ８において、電圧検出部１３が電圧を検出できる接続状態は、図４に示すように、ＬＩＮＥ端子８に電話回線２１が正常に接続され、ＴＥＬ端子９に電話機２２が接続されている場合と、ＬＩＮＥ端子８に電話回線２１が正常に接続され、ＴＥＬ端子９に何も接続されていない場合とがあり、どちらの場合も正常と判定される。
【００２８】
Ｓ１１：ファクシミリ送信した制御部２は、パネル部５によりファクシミリ送信が終了した旨を表示する。
Ｓ１２：制御部２は、ＮＣＵ３のリレー１１を制御して開放し、ＬＩＮＥ端子８とモデム４との接続を開放する。
Ｓ１３：リレー１１を開放した制御部２は、ＮＣＵ３のリレー１２を制御して閉結し、ＬＩＮＥ端子８とＴＥＬ端子９とを接続して本処理を終了する。
このように、Ｓ１２およびＳ１３において、リレー１１を開放し、リレー１２を閉結することにより、電話回線２１に接続された交換機とファクシミリ装置１との間は、電話回線２１を介して直流ループが形成されていない状態となり、交換機はファクシミリ装置１が電話回線を開放しているものと認識する。
【００２９】
上述したように、本実施例のファクシミリ装置１は、電話回線２１を接続するＬＩＮＥ端子８とファクシミリ通信部としてのモデム４とを接続するリレー１１およびＬＩＮＥ端子８と電話機２２を接続するＴＥＬ端子９とを接続するリレー１２を有するＮＣＵ３と、電話回線２１の回線電圧を検出する電圧検出部１３とを備え、リレー１１によりＬＩＮＥ端子８とモデム４とを接続したとき、電圧検出部１３で電話回線２１の所定の回線電圧が検出できなかった場合、電話回線２１が正しく接続されていない旨を表示部に表示するようにしたことにより、ファクシミリ装置１に対する電話回線２１と電話機２２の接続の誤りを利用者に報知することができ、電話回線の接続の誤りによる通信異常の発生を抑制することができる。
また、ファクシミリ通信の開始時に、電圧検出部１３で電話回線２１の所定の回線電圧を検出するようにしたことにより、ファクシミリ通信の実行に先立ち、ファクシミリ装置１に対する電話回線２１の接続の誤りを利用者に報知することができる。
【００３０】
以上説明したように、本実施例では、ファクシミリ通信の開始時に、電話回線とモデムとを接続したとき、電圧検出部で電話回線の所定の回線電圧が検出できなかった場合、回線電圧が検出できなかった旨を表示部に表示するようにしたことにより、ファクシミリ通信の実行に先立ち、ファクシミリ装置に対する電話回線と電話機の接続の誤りを検出することができるという効果が得られる。また、電話回線の接続の誤りによる通信異常の発生を抑制することができ、ファクシミリ装置の保守性や完遂性の向上を図ることができるという効果が得られる。
なお、本実施例では、ファクシミリ装置の例で説明したが、それに限られることなく、複合機（ＭＦＰ）等のファクシミリ通信機能を備えた装置としても良い。
【符号の説明】
【００３１】
１    ファクシミリ装置
２    制御部
３    ＮＣＵ
４    モデム
５    パネル部
６    スキャナ部
７    プリンタ部
８    ＬＩＮＥ端子
９    ＴＥＬ端子
１０  オフフック検出部
１１、１２  リレー
１３  電圧検出部
２１  電話回線
２２  電話機
【図１】
0006333659.tif 000002
【図２】
0006333659.tif 000003
【図３】
0006333659.tif 000004
【図４】
0006333659.tif 000005
【図５】
0006333659.tif 000006